(57)【要約】【課題】  メガホンが使用されないときに、そのメガホンを壁面のフックなどから吊り下げておく場合がある。しかし、このように吊り下げられたメガホンは、支持状態が不安定である。また、使用者の身体がメガホンに衝突したような場合に、メガホンの破損を招きやすい。【解決手段】  メガホン保持具Ｈは、基部10と、第１支持部20と、第２支持部30とを備えている。第１支持部20は当接部21と挿通部22とを有している。第２支持部30は支持面31を有している。第１支持部20はメガホンＭ１を載置することができる。このとき、当接部21はホーンマウス部52に当接し、挿通部22はレフレクタ部53を挿通させることができ、支持面31はメガホンＭ１の後端部に上から被さることができる。【選択図】  図７
2006109015.tif 000002
【特許請求の範囲】
【請求項１】
ホーンマウス部とレフレクタ部とを有するメガホンを保持するためのメガホン保持具であって、
略垂直な壁面に取り付けることができる基部と、第１支持部と、第２支持部とを備え、
該第１支持部と該第２支持部とが該基部に取り付けられ、
該第１支持部は当接部と挿通部とを有し、
該第２支持部は支持面を有し、
該第１支持部は、ホーンマウス部とレフレクタ部とを有するメガホンを載置することができ、
該載置状態において該当接部が該ホーンマウス部に当接し、
該載置状態において該挿通部が該レフレクタ部を挿通させることができ、
該載置状態において該支持面が該メガホンの後端部に上から被さることができる、メガホン保持具。
【請求項２】
該第１支持部の形状が略円環状である、請求項１記載のメガホン保持具。
【請求項３】
該当接部が該第１支持部の外周面であり、該外周面の形状が略切頭円錐体の錐面状である、請求項２記載のメガホン保持具。
【請求項４】
該支持面が凹状面である、請求項１乃至３のいずれか一の項に記載のメガホン保持具。
【請求項５】
該支持面が該基部に対して所定範囲で上下に移動できる、請求項１乃至４のいずれか一の項に記載のメガホン保持具。
【請求項６】
該支持面を下方に付勢する付勢手段を備えた、請求項５記載のメガホン保持具。
【請求項７】
脚部を備え、
該脚部の基端が該基部に取り付けられ、かつ、該脚部の先端が該第１支持部に取り付けられることにより、該第１支持部が該脚部を介して該基部に取り付けられ、
該脚部の先端が該脚部の基端よりも上方に位置し、
該載置状態において該脚部の先端が該ホーンマウス部の内側に位置する、請求項１乃至６のいずれか一の項に記載のメガホン保持具。
【請求項８】
該第１支持部が第１枢軸支点を介して該基部に取り付けられ、
該第１支持部における、該基部が取り付けられる壁面と最も離間した箇所が、該壁面により近づくように、かつ、より上方に移動するように、該第１支持部を該第１枢軸支点を中心に回転させることができ、
該第２支持部が第２枢軸支点を介して該基部に取り付けられ、
該第２支持部における、該基部が取り付けられる壁面と最も離間した箇所が、該壁面により近づくように、かつ、より下方に移動するように、該第２支持部を該第２枢軸支点を中心に回転させることができる、請求項１乃至７のいずれか一の項に記載のメガホン保持具。
【請求項９】
該載置状態において該当接部が該ホーンマウス部の内周面に当接する、請求項１乃至８のいずれか一の項に記載のメガホン保持具。
【発明の詳細な説明】
【技術分野】
【０００１】
本願発明は、ホーンマウス部とレフレクタ部とを有するメガホンを保持することができるメガホン保持具に関し、特に、略垂直な壁面の近傍に、メガホンを安定して保持することができるメガホン保持具に関する。
【背景技術】
【０００２】
メガホンには、レフレックス型ホーンを有するものがある。このようなメガホンは、主に、レフレックス型ホーンと、本体部と、ハンドル部とにより構成されている。本体部にはアンプ回路やドライバユニットが設けられている。レフレックス型ホーンは本体部の前方に配され、ハンドルは本体部の側方に取り付けられている。マイクロホンからの音声信号が、本体部の内部に設けられたアンプ回路で増幅される。そして、ドライバユニットが駆動されて、レフレックス型ホーンから拡声される。マイクロホンを本体部の後端部に設けたメガホンもある。
【０００３】
このようなメガホンが使用されないときに、そのメガホンを垂直壁面に取り付けたフックなどから吊り下げておく場合がある。つまり、メガホンを箱などに収納するのではなく、すぐに使用できるような状態に保っておくのである。
【０００４】
ところが、フックなどから吊り下げられたメガホンは、その支持状態が不安定になる。また、使用者の身体がメガホンに衝突したような場合に、メガホンの破損を招きやすい。特にレフレクタ部が剥き出しのままになり、破損しやすい。また、本体部の後端部に設けられたマイクロホンは、埃などから保護しなければ劣化をきたすのであるが、メガホンをフックなどから吊り下げられた状態にしておくと、マイクロホンは保護されない。
【０００５】
出願人は、日本特許庁のホームページである「特許電子図書館」にアクセスして、「メガホン」および「保持」なるキーワードを使って、メガホン保持具についての特許出願の検索（特許公開公報フロントページ検索）を試みたが、メガホン保持具についての特許出願は１件も発見することができなかった。
【発明の開示】
【発明が解決しようとする課題】
【０００６】
本願発明の目的は、メガホンを保護しつつ、安定して保持することができるような、メガホン保持具を提供することにある。
【課題を解決するための手段】
【０００７】
上記課題を解決するため、本願発明にかかるメガホン保持具は、ホーンマウス部とレフレクタ部とを有するメガホンを保持するためのメガホン保持具であって、略垂直な壁面に取り付けることができる基部と、第１支持部と、第２支持部とを備え、該第１支持部と該第２支持部とが該基部に取り付けられ、該第１支持部は当接部と挿通部とを有し、該第２支持部は支持面を有し、該第１支持部は、ホーンマウス部とレフレクタ部とを有するメガホンを載置することができ、該載置状態において該当接部が該ホーンマウス部に当接し、該載置状態において該挿通部が該レフレクタ部を挿通させることができ、該載置状態において該支持面が該メガホンの後端部に上から被さることができる。
【０００８】
このように構成されているので、当接部によってホーンマウス部が支持され、かつ、メガホンの後端部が第２支持部によって支持される。また、挿通部に挿通されたレフレクタ部が当接部に囲まれた状態となる。
【発明の効果】
【０００９】
当接部によってホーンマウス部が支持され、かつ、メガホンの後端部が第２支持部によって支持されるので、メガホンを安定して保持することができる。
【００１０】
また、挿通部にレフレクタ部が挿通されると、レフレクタ部は少なくとも当接部に囲まれるので、レフレクタ部が保護される。
【００１１】
また、支持面がメガホンの後端部に被さるので、本体部の後端部にマイクロホンが設けられている場合は、このマイクロホンが埃などから保護される。
【発明を実施するための最良の形態】
【００１２】
本願発明のメガホン保持具において、該第１支持部の形状が略円環状であってもよい。
【００１３】
このように構成すると、第１支持部の形状がメガホンの形状によく適合する。
【００１４】
上記メガホン保持具において、該当接部が該第１支持部の外周面であり、該外周面の形状が略切頭円錐体の錐面状であってもよい。
【００１５】
また本願発明のメガホン保持具において、該支持面が凹状面であってもよい。
【００１６】
このように構成すると、支持面がメガホンの後端部を覆って確実に支持することができる。
【００１７】
また本願発明のメガホン保持具において、該支持面が該基部に対して所定範囲で上下に移動できるように構成してもよい。
【００１８】
このように構成すると、メガホンをメガホン保持具に装着しやすくなる。
【００１９】
上記メガホン保持具において、該支持面を下方に付勢する付勢手段を備えるように構成してもよい。
【００２０】
このように構成すると、メガホンの後端部を確実に支持することができる。
【００２１】
また本願発明のメガホン保持具において、脚部を備え、該脚部の基端が該基部に取り付けられ、かつ、該脚部の先端が該第１支持部に取り付けられることにより、該第１支持部が該脚部を介して該基部に取り付けられ、該脚部の先端が該脚部の基端よりも上方に位置し、該載置状態において該脚部の先端が該ホーンマウス部の内側に位置するように構成してもよい。
【００２２】
また本願発明のメガホン保持具において、該第１支持部が第１枢軸支点を介して該基部に取り付けられ、該第１支持部における、該基部が取り付けられる壁面と最も離間した箇所が、該壁面により近づくように、かつ、より上方に移動するように、該第１支持部を該第１枢軸支点を中心に回転させることができ、該第２支持部が第２枢軸支点を介して該基部に取り付けられ、該第２支持部における、該基部が取り付けられる壁面と最も離間した箇所が、該壁面により近づくように、かつ、より下方に移動するように、該第２支持部を該第２枢軸支点を中心に回転させることができるように構成してもよい。
【００２３】
このように構成すると、メガホン保持具が取り付けられる壁面からの突出量が少なくなるように、メガホン保持具を折り畳むことができる。
【００２４】
また本願発明のメガホン保持具において、該載置状態において該当接部が該ホーンマウス部の内周面に当接するように構成してもよい。
【００２５】
このように構成すると、メガホンの保持状態がより安定する。また特に、当接部となる第１支持部の外周面を略切頭円錐体の錐面状に形成すると、当接部（外周面）がホーンマウス部の内周面の形状とよく適合するので、メガホンの保持状態がより安定する。
【実施例１】
【００２６】
以下、本願発明の一実施形態たるメガホン保持具Ｈを、図面を参照しつつ説明する。
【００２７】
図１は、メガホン保持具Ｈの斜観図であり、（ａ）は斜め上からメガホン保持具Ｈを見たときの図であり、（ｂ）は斜め下からメガホン保持具Ｈを見たときの図である。
【００２８】
図２は、メガホン保持具Ｈの図であり、（ａ）はその正面図、（ｂ）はその右側面図である。
【００２９】
メガホン保持具Ｈは、主に、基部10と、第１支持部20と、第２支持部30と、脚部40とによって構成されている。
【００３０】
基部10には孔11,12が形成されているが、これは基部10を垂直壁面に取り付けることができるようにするための、ネジ用の孔である。
【００３１】
この基部10に、第１支持部20が取り付けられている。第１支持部20は、脚部40を介して、基部10に取り付けられている。
【００３２】
また、基部10には、第２支持部30も取り付けられている。
【００３３】
第１支持部20は、略円環状の部材である。その外周面21が、メガホンのホーンマウス部の内周面に当接するための当接部として機能する。外周面21の形状は、概略、切頭円錐体の錐面状である。第１支持部20には中央孔22が形成されている。中央孔22は、メガホンのレフレクタ部を挿通させるための挿通部として機能する。外周面21は、半径方向において中央孔22の外側に位置する。
【００３４】
脚部40は、基部10と第１支持部20との間に介在する。脚部40は、その先端43が基端41よりも上方に位置するように、配置されている。脚部40の基端41は、ボルト42によって基部10に取り付けられている。脚部40の先端43には、第１枢軸支点29を介して第１支持部20が取り付けられている。つまり第１支持部20は、第１枢軸支点29や脚部40を介して、基部10に取り付けられている。
【００３５】
第２支持部30は、第２枢軸支点32を介して基部10に取り付けられている。第２支持部30には、支持面31が形成されている。支持面31は、凹状面であり、さらに、概略、半球状の面である。
【００３６】
基部10と第２支持部30との間には、コイルばね33が設けられている。コイルばね33は、図２（ｂ）において、第２枢軸支点32を中心とした左回りの方向に、第２支持部30を付勢している。
【００３７】
図３は、メガホン保持具Ｈの構成部材の断面図であり、図３（ａ）は図２（ｂ）のIIIa−IIIa線矢視断面図、図３（ｂ）は図２（ｂ）のIIIb−IIIb線矢視断面図である。
【００３８】
図３（ａ）には、支持面31の、略半円状の断面が表れている。
【００３９】
図３（ｂ）には、第１支持部20の内周面23と外周面21とが表れている。内周面23は中央孔22を規定する面である。略円環状の第１支持部20の中心軸24は、上下方向に伸延する。
【００４０】
図４は、メガホン保持具Ｈの右側面図である。
【００４１】
前述したとおり、脚部40と第１支持部20とは、第１枢軸支点29を介して連結されている。第１支持部20は第１枢軸支点29を中心として、所定角度範囲内において回転することができる。図４においては、回転可能な角度範囲において最も左方向に回転したときの第１支持部20の状態を実線で示している。また、回転可能な角度範囲において最も右方向に回転したときの第１支持部20の状態を二点鎖線20aで示している。
【００４２】
前述したとおり、基部10と第２支持部30とは、第２枢軸支点32を介して連結されている。
【００４３】
第２支持部30は、第２枢軸支点32を中心として、所定角度範囲内において回転することができる。図４においては、回転可能な角度範囲において最も左方向に回転したときの第２支持部30の状態を二点鎖線30bで示している。また、回転可能な角度範囲において最も右方向に回転したときの状態を二点鎖線30aで示している。つまり、第２支持部30は、矢印R1で示される角度範囲内で回転することができる。  
【００４４】
第２支持部30は、コイルバネ33によって、図４における左回り方向に付勢されている。但し、メガホン保持具Ｈには角度制限手段（図示せず）が設けられている。この角度制限手段は第２支持部30に対して次のように機能する。
【００４５】
つまり、第２支持部30が、実線で示された角度位置と、二点鎖線30aで示された角度位置の間で支持されている場合、つまり矢印R2で示される角度範囲内で支持されている場合は、その支持を解除すると、コイルバネ33の弾性力によって第２支持部30が左回りに回転する。換言すれば、付勢手段たるコイルばね33の弾性力により第２支持部30が下方に付勢され、支持面31が基部10に対して下方に移動するのである。左回りに回転した第２支持部30は、最終的には、実線で示された角度位置で停止する。実線で示された角度位置で停止するのは、角度制御手段の作用によるものである。
【００４６】
実線で示された角度位置にある第２支持部30を、上から比較的強い力で押さえると、実線で示された角度位置での停止状態が解除される。そして、第２支持部30がコイルバネ33の弾性力によって左回りに回転し、最終的には、二点鎖線30bで示された角度位置で停止する。
【００４７】
第２支持部30が、実線で示された角度位置と、二点鎖線30bで示された角度位置の間で支持されている場合、つまり矢印R3で示される角度範囲内で支持されている場合は、その支持を解除すると、コイルバネ33の弾性力によって第２支持部30が左回りに回転し、最終的には、二点鎖線30bで示された角度位置で停止する。
【００４８】
図５は、メガホン保持具Ｈに保持されるメガホンＭ１の斜観図である。このメガホンＭ１は、主に、レフレックス型ホーン51と、本体部56と、ハンドル58とにより構成されている。
【００４９】
本体部56には、アンプ回路（図示せず）やドライバユニット（図示せず）が内蔵されている。レフレックス型ホーン51は本体部56の前方に配され、ハンドル58は本体部56の側方に取り付けられている。本体部56の後端部にはマイクロホン57が内蔵されている。ハンドル58にはスイッチ59が設けられている。マイクロホン57からの音声信号は本体部56に内蔵されたアンプ回路で増幅される。そして、ドライバユニットが駆動されて、レフレックス型ホーン51から拡声される。レフレックス型ホーン51は、ホーンマウス部52とレフレクタ部53とを有する。
【００５０】
図６は、メガホンＭ１を保持した状態のメガホン保持具Ｈの斜観図である。このメガホン保持具Ｈは、ネジ61によって垂直壁面80に取り付けられている。図７は、このような状態のメガホン保持具Ｈの図であり、図７（ａ）はその左側面図、図７（ｂ）は図７（ａ）のVIIb−VIIb線矢視断面図である。
【００５１】
メガホンＭ１をメガホン保持具Ｈに保持させるための手順は、次のとおりである。
【００５２】
まず、メガホン保持具Ｈの第１支持部20の姿勢を、図４の実線で示すような姿勢にしておく。つまり、第１支持部20の中心軸24が上下方向に伸延するように、第１支持部20の角度を設定する。
【００５３】
次に、第２支持部30の姿勢が、図４の二点鎖線30aで示すような姿勢になるように、第２支持部30を手で支えておく。つまり、コイルばね33の弾性力に抗して第２支持部30を跳ね上げ、支持面31を上方に移動させるのである。
【００５４】
次に、メガホンＭ１のレフレクタ部53が第１支持部20の中央孔22に挿通されるように、かつ、メガホンＭ１のホーンマウス部52の内周面54が第１支持部20の外周面21に当接するように、メガホンＭ１を下向きにして第１支持部20の上に置く。こうすることにより、メガホンＭ１のホーンマウス部52が第１支持部20によって支持される。ここで、メガホンＭ１を下向きにするとは、メガホンＭ１のレフレックス型ホーン51を下向きにすることを意味する。
【００５５】
次に、第２支持部30から手を放す。すると、コイルばね33の弾性力によって、第２支持部30の先端が下がるように、第２支持部30が回転する。この回転によって、支持面31が下方に移動する。すると、支持面31がメガホンＭ１の後端部に上から被さって、メガホンＭ１の後端部を支持する。
【００５６】
以上の手順により、メガホンＭ１がメガホン保持具Ｈに保持される。また、上記と逆の手順により、メガホン保持具ＨからメガホンＭ１を取り外すことができる。このように、極めて容易に、メガホンＭ１をメガホン保持具Ｈに着脱させることができる。
【００５７】
図７（ａ）から理解されるように、メガホン保持具ＨがメガホンＭ１を保持した状態においては、脚部40の先端43がホーンマウス部52の内側に入り込む。
【００５８】
また、図７（ｂ）から理解されるように、支持面31がメガホンＭ１の後端部に上から被さって、メガホンＭ１の後端部を支持する。前述したとおり、コイルばね33の弾性力によって第２支持部30が下方に付勢されているので、支持面31はメガホンＭ１の後端部に確実に当接する。よって、メガホンＭ１の後端部が確実に支持される。
【００５９】
また前述したとおり、支持面31が凹状面であるので、支持面31はメガホンＭ１の後端部を覆うことができる。よって、メガホンＭ１の後端部に内蔵されているマイクロホン57は、支持面31によって埃などから確実に保護される。
【００６０】
また、図７（ｂ）から理解されるように、第１支持部20の内周面23は、レフレクタ部53に接触していない。よって、レフレクタ部53には何らの負荷も作用しない。さらに、レフレクタ部53が、ホーンマウス部52の内部において第１支持部20に囲まれた状態となるので、レフレクタ部53は確実に保護される。
【００６１】
また、前述したとおり、第１支持部20の外周面21の形状は、概略、切頭円錐体の錐面状である。よって、ホーンマウス部52の内周面54の形状とよく適合し、ホーンマウス部52を安定して支持することができる。
【００６２】
このようにして、メガホン保持具Ｈによって、メガホンＭ１を安定して保持することができる。また、レフレクタ部53を確実に保護することができる。さらに、マイクロホン57を埃などから保護することができる。
【００６３】
図８は、垂直壁面80に取り付けられ、メガホンＭ２を保持した状態のメガホン保持具Ｈの図であり、図８（ａ）はその左側面図、図８（ｂ）は図８（ａ）のVIIIb−VIIIb線矢視断面図である。図８のメガホンＭ２は、図５,図６,図７に示すメガホンＭ１とほぼ同様の構造を有するが、レフレックス型ホーン71の大きさのみが、メガホンＭ１と相違する。メガホンＭ２のレフレックス型ホーン71の方が、メガホンＭ１のレフレックス型ホーン51よりも長い。このようなメガホンＭ２を保持した状態においても、メガホン保持具Ｈによって、メガホンＭ２を安定して保持することができる。また、レフレクタ部73を確実に保護することができる。さらに、本体部の後端部に設けられたマイクロホン57を埃などから保護することができる。
【００６４】
図９は、折り畳まれた状態のメガホン保持具Ｈの右側面図である。メガホン保持具Ｈを使用しないときは、このように折り畳むことができる。
【００６５】
メガホン保持具Ｈを折り畳むための手順は、次のとおりである。
【００６６】
まず、メガホン保持具Ｈの第１支持部20の姿勢を、図４の二点鎖線20aで示すような姿勢にする。つまり、第１支持部20における壁面80と最も離間した箇所27が、壁面80により近づくように、かつ、より上方に移動するように、第１支持部20を第１枢軸支点29を中心に回転させる。
【００６７】
次に、メガホン保持具Ｈの角度制限手段の機能を解除させる。すると、コイルばね33の弾性力によって、第２支持部30の姿勢が、図４の二点鎖線30bで示すような姿勢になる。つまり、第２支持部30における壁面80と最も離間した箇所37が、壁面80により近づくように、かつ、より下方に移動するように、第２支持部30が第２枢軸支点32を中心に回転する。
【００６８】
このようにして、メガホン保持具Ｈが、図９に示すような状態に折り畳まれる。メガホン保持具Ｈをこのように折り畳むことによって、メガホン保持具Ｈの垂直壁面80からの突出量を少なくできる。
【００６９】
以上、本願発明の一実施形態たるメガホン保持具Ｈを、図面を参照しつつ説明した。
【００７０】
上記実施形態では、当接部がホーンマウス部の内周面に当接するように構成したが、当接部がホーンマウス部の内周面以外の箇所に当接するように構成してもよい。例えば、ホーンマウス部の最奥面55（図５,図７参照）に当接するように構成してもよい。
【産業上の利用可能性】
【００７１】
本願発明のメガホン保持具によれば、メガホンを保護しつつ安定して保持することができるので、例えば、音響機器の技術分野において有益である。
【図面の簡単な説明】
【００７２】
【図１】メガホン保持具の斜観図であり、（ａ）は斜め上からメガホン保持具を見たときの図であり、（ｂ）は斜め下からメガホン保持具を見たときの図である。
【図２】メガホン保持具の図であり、（ａ）はその正面図、（ｂ）はその右側面図である。
【図３】メガホン保持具の構成部材の断面図であり、（ａ）は図２（ｂ）のIIIa−IIIa線矢視断面図、（ｂ）は図２（ｂ）のIIIb−IIIb線矢視断面図である。
【図４】メガホン保持具の右側面図である。
【図５】メガホンの斜観図である。
【図６】メガホンを保持した状態のメガホン保持具の斜観図である。
【図７】メガホン保持具の図であり、（ａ）はその左側面図、（ｂ）は（ａ）のVIIb−VIIb線矢視断面図である。
【図８】垂直壁面に取り付けられ、メガホンを保持した状態のメガホン保持具の図であり、（ａ）はその左側面図、（ｂ）は（ａ）のVIIIb−VIIIb線矢視断面図である。
【図９】折り畳まれた状態のメガホン保持具の右側面図である。
【符号の説明】
【００７３】
Ｈ      メガホン保持具
M1,M2   メガホン
10      基部
11,12   孔
20      第１支持部
21      外周面
22      中央孔
23      内周面
29      第１枢軸支点
30      第２支持部
31      支持面
32      第２枢軸支点
33      コイルばね
40      脚部
42      ボルト
51,71   レフレックス型ホーン
52      ホーンマウス部
53,73   レフレクタ部
54      内周面
55      最奥面
56      本体部
57      マイクロホン
58      ハンドル
59      スイッチ
61      ネジ
80      垂直壁面
【図１】
2006109015.tif 000003
【図２】
2006109015.tif 000004
【図３】
2006109015.tif 000005
【図４】
2006109015.tif 000006
【図５】
2006109015.tif 000007
【図６】
2006109015.tif 000008
【図７】
2006109015.tif 000009
【図８】
2006109015.tif 000010
【図９】
2006109015.tif 000011